(57)【要約】【課題】超音波振動子の超音波出力時間を、プローブを用いて行われる処置の内容に応じた適切な時間に設定できる超音波処置具を提供する。【解決手段】ジェネレータ２には凝固切開用のハンドピースが接続可能であり、そのハンドピースのためにジェネレータ内蔵のタイマは比較的長い最大出力時間に設定され、穿刺プローブ１１が取り付けられ、穿刺処置を行うハンドピース５が接続されると、その場合に超音波振動子２２に供給される駆動電流を検知して、ハンドピース５内部に設けたタイマユニット２８により、穿刺処置の場合に必要とされる処置時間をカバーし、凝固切開処置の場合よりは短い最大出力時間に制限するようにして、処置目的に応じて超音波出力時間を適切に設定できるようにした。【選択図】図３
2007222689.tif 000002
【特許請求の範囲】
【請求項１】
ジェネレータからの駆動電流を超音波振動に変換する超音波振動子と、前記ジェネレータに対して電気的に接続された際に、自身の判別を可能とする判別素子と、を内蔵するとともに、前記ジェネレータに対して着脱自在に接続可能である超音波処置具本体と、
前記超音波処置具本体に接続され、被検体に所定の処置を施す場合に用いられるプローブと、
前記ジェネレータが前記判別素子を検知することにより前記超音波処置具本体の種別を認識し、この認識した結果に基づいて前記ジェネレータが行う最大出力可能時間の設定の指示に基づき、前記超音波振動子に前記駆動電流が供給される時間を制限するタイマユニットと、
を有することを特徴とする超音波処置具。
【請求項２】
前記ジェネレータと前記超音波処置具本体との間に介挿自在なアダプタを有し、
前記タイマユニットは、前記アダプタに内蔵されるとともに、前記ジェネレータが前記判別素子を検知することにより前記超音波処置具本体の種別を認識し、この認識した結果に基づいて前記ジェネレータが行う最大出力可能時間の設定の指示に基づき、前記超音波振動子に前記駆動電流が供給される時間を制限することを特徴とする請求項１に記載の超音波処置具。
【発明の詳細な説明】
【技術分野】
【０００１】
本発明は、生体組織に超音波振動を与え、治療のための処置を行う超音波処置具に関する。
【背景技術】
【０００２】
特開平５−４９６４８号には、組織を乳化、吸引して腫瘍などを生体組織から除去する用途に用いられる従来例が、また、特開平２０００−１２６１９８号には、超音波振動をするプローブと、クランプ部材で生体組織を挟み、凝固・切開するものが開示されている。
【０００３】
これらの超音波処置具は、術者が意図する個々の処置（生体組織の凝固切開、乳化吸引）が完了する毎にフットスイッチ等の操作を止めることで超音波出力を停止する。
【０００４】
また、処置の目的に応じて、乳化吸引用の振動子と専用の複数種類のプローブ、凝固切開専用の超音波振動子と専用の複数種類のプローブがあり、駆動電流を発生させるジェネレータはそれぞれの超音波振動子の種類に応じて、最大投入駆動電流値、駆動電流供給時間、超音波振動周波数のパラメータを個別に設定することができる。一方で、ジェネレータに対して超音波振動子は一種類しか組合わせられない超音波手術システムもある。
【特許文献１】特開平５−４９６４８号公報
【発明の開示】
【発明が解決しようとする課題】
【０００５】
一般的に、超音波処置具は、ハンドピースの発熱、ジェネレータの加熱、生体組織への無用な熱影響を防ぐために、術者の使用状態とは関係なく、超音波処置具が接続される駆動装置側（ジェネレータ側）の内蔵タイマにより、１回あたりの最大超音波出力時間を制限することがある。
【０００６】
最大出力時間はジェネレータに接続するハンドピースの種類別に設定することが多い。処置の目的のよっては、同じハンドピースを使用する場合でも、生体組織への無用な熱影響をより軽減する目的で、当初の最大出力時間をさらに短くしたいニーズがある。
【０００７】
この場合、特にハンドピースが１種類しか使用できないシステムでは、ジェネレータ内蔵のタイマ設定値に関して、最大出力時間設定を変更することが必要になる。
【０００８】
（発明の目的）
本発明は上述した点に鑑みてなされたもので、超音波振動子の超音波出力時間を、プローブを用いて行われる処置の内容に応じた適切な時間に設定できる超音波処置具を提供することを目的とする。
【課題を解決するための手段】
【０００９】
前記目的を達成するため本発明の一態様による超音波処置具は、ジェネレータからの駆動電流を超音波振動に変換する超音波振動子と、前記ジェネレータに対して電気的に接続された際に、自身の判別を可能とする判別素子と、を内蔵するとともに、前記ジェネレータに対して着脱自在に接続可能である超音波処置具本体と、
前記超音波処置具本体に接続され、被検体に所定の処置を施す場合に用いられるプローブと、
前記ジェネレータが前記判別素子を検知することにより前記超音波処置具本体の種別を認識し、この認識した結果に基づいて前記ジェネレータが行う最大出力可能時間の設定の指示に基づき、前記超音波振動子に前記駆動電流が供給される時間を制限するタイマユニットと、
を有する。
【発明の効果】
【００１０】
本発明の超音波処置具は、超音波振動子の超音波出力時間を、プローブを用いて行われる処置の内容に応じた適切な時間に設定できる。
【発明を実施するための最良の形態】
【００１１】
以下、図面を参照して本発明の実施の形態を説明する。  
（第１の実施の形態）
図１ないし図４は本発明の第１の実施の形態に係り、図１は第１の実施の形態を備えた超音波手術システムの全体構成を示し、図２はタイマユニットを内蔵したハンドピースの内部構成を示し、図３は図２のハンドピースの電気系の構成を示し、図４はタイマユニットを内蔵したハンドピースで処置する場合の作用を示す。
【００１２】
図１に示す超音波手術システム１は、超音波振動子を駆動する駆動電流を発生するジェネレータ２と、このジェネレータ２に接続され、超音波出力のＯＮ、ＯＦＦを行うフットスイッチ３と、ジェネレータ２に着脱自在に接続され、図示のように組み合わせて構成される超音波処置具を形成する第１及び第２のハンドピース４、５等からなる。
【００１３】
第１及び第２のハンドピース４、５の後端から延出された信号ケーブル６の後端にそれぞれ設けたコネクタ７はジェネレータ２に着脱自在に接続される。また、第１及び第２のハンドピース４、５の内部には超音波振動子が内蔵されており、ジェネレータ２から供給される駆動電流を超音波振動に変換する。
【００１４】
第１のハンドピース４の前端には、超音波による処置を行うシザースタイプ用プローブ８ａと、それを覆うシザースタイプシース９ａとを組み付け可能である。シザースタイプシース９ａはシザースタイプ用プローブ８ａを覆い、かつその後端にはその先端の可動片を回動させて、シザースタイプ用プローブ８ａの先端に対して開閉操作を行うハンドル１０が設けてある。
【００１５】
この場合の超音波処置具では、ハンドル１０で生体組織を挟むようにし、フットスイッチ３をＯＮすることにより、高い凝固力で切開可能な超音波凝固切開具として使用できる。  
さらにこの第１のハンドピース４には、プローブ単体でスムーズに凝固切開可能なフック状のフックタイププローブ８ｂと、このフックタイププローブ８ｂを覆うフックタイプシース９ｂとを接続可能である。
【００１６】
一方、第２のハンドピース５の前端には穿刺プローブ１１が予め固定されており、この穿刺プローブ１１には、例えばφ５の外套管１２ａと組み合わせて腹壁に各種処置具を体腔内に挿入する際のポート（挿入孔）を設けることができるようにしている。  
また、より径の大きいポートが必要な場合には、ダイレータ１３ａを用いて穿刺孔を拡張して、例えばφ１１の外套管１４ａによりより大きなφ１１のポートを設けることができる。
【００１７】
同様にさらに大きなポートが必要な場合には、より径の大きいダイレータ１３ｂを用いて穿刺孔を拡張して、例えばφ１３の外套管１４ｂによりより大きなφ１３のポートを設けることができる。
【００１８】
ハンドピース４とハンドピース５の違いは、ハンドピース４がプローブ８ａ、８ｂおよびシース９ａ、９ｂを組替えて目的別に使用できるの対して、ハンドピース５は専用プローブ１１が予め固定してあり、腹壁穿刺用に特化した点で異なる。また、ハンドピース５は腹壁穿刺用に特化した点に対応して、以下に説明するように超音波出力時間を制限するためのタイマユニットを内蔵するようにしている。
【００１９】
図２はハンドピース５の内部構造を断面図で示す。  
ハンドピース５のケース２１内部には、ジェネレータ２からの駆動電流を超音波振動に変換する超音波振動子２２が収納されている。具体的には円筒状のケース２１の内部に超音波振動子２２が配置され、パッキン２３を介して固定リング２４で螺合により固定されている。
【００２０】
超音波振動子２２は、両面にそれぞれ電極板２５が設けられ、電極板２５に駆動電流が印加されることにより、縦方向の振動に変換する複数の円板状の圧電素子２６を積層して締め付けるようにして形成され、各電極板２５には、リード線２７ａおよび２７ｂがハンダ付けされている。
【００２１】
本実施の形態ではケース２１内における例えば超音波振動子２２の背面側にはタイマユニット２８が設けてあり、ジェネレータ２に接続される信号ケーブル６はタイマユニット２８を介してリード線２７ａ、２７ｂに接続されている。
【００２２】
つまり、超音波振動子２２に駆動電流が供給される（駆動電流供給系の）途中に超音波振動子２２に供給される駆動電流の最大供給時間（換言すると最大超音波出力時間）を設定（制限）するタイマユニット２８が設けてある。
【００２３】
上記信号ケーブル６の端部はケース２１からの抜け防止のために圧着部材２９にてケース２１の後端内部に圧着固定されており、また信号ケーブル６の根元断線防止のために屈曲防止ゴム３１をケース２１の後端に設けている。  
また、このケース２１の先端側には、穿刺時に外套管１２ａ等を組み付けるアタッチメント３２が設けられている。
【００２４】
タイマユニット２８を含むハンドピース５の電気系の構成を図３に示す。  
図３に示すように、ハンドピース５に内蔵したタイマユニット２８は、ジェネレータ２からの駆動電流を検出する駆動電流検出回路３６と、この駆動電流検出回路３６からの駆動電流の検出により内蔵のタイマの経過時間の制御動作を行うタイマ制御回路３７と、このタイマ制御回路３７により所定時間が経過すると駆動電流検出回路３６を経て超音波振動子２２側に供給される駆動電流に対してスイッチＯＦＦにする（遮断する）スイッチ回路３８とからなる。  
なお、タイマユニット２８の各回路は、ジェネレータ２から信号ケーブル６を経て（超音波振動子２２に供給される）駆動電流により、動作を行うようになっている。
【００２５】
ジェネレータ２からの駆動電流はタイマユニット２８を通して超音波振動子２２に印加する構成にしている。従って、フットスイッチ３がＯＮにされると、ジェネレータ２の駆動電流がタイマユニット２８の駆動電流検出回路３６を経て超音波振動子２２を駆動し、その超音波振動子２２の振動を穿刺プローブ１１で伝達してその先端で穿刺の処置を行えるようにしていると共に、その駆動電流を検知するとタイマ制御回路３７内のタイマを起動して、経過時間を計測し、所定時間が経過すると、スイッチ回路３８を開状態にして超音波振動子２２に供給される駆動電流を遮断するようにしている。
【００２６】
この場合、タイマにより設定されている時間は、穿刺の処置に必要とされる時間よりは長く、それ以上は必要とされない時間に設定されている。つまり、通常の穿刺の処置を行う場合、タイマによる出力時間の制限により、無用の熱影響等を排除できるようにして、使い勝手を向上している。
【００２７】
次に本実施の形態の作用を説明する。  
ジェネレータ２にハンドピース４を接続した場合には、シザースタイプ用プローブ８ａ、シザースタイプシース９ａ、或いはフックタイプ用プローブ８ｂ、フックタイプシース９ｂを組み合わせることで、生体組織を凝固切開できる。
【００２８】
その際、１回あたりの超音波出力可能時間はジェネレータ２に内蔵されたタイマ（図示しない）により決まる。つまりフットスイッチ３を踏む操作を継続した状態でも、踏み直さない限り、ジェネレータ２に内蔵されたタイマにより超音波出力時間が制限される。
【００２９】
一方、ハンドピース５を接続した場合は、フットスイッチ３を操作すると信号ケーブル６から、タイマユニット２８へ駆動電流が流れる。タイマユニット２８のタイマによる超音波出力可能な時間内の場合には、リード線２７ａ．２７ｂから電極板２５へ駆動電流が流れ、超音波振動子２２により超音波振動が発生し、穿刺プローブ１１へと伝達される。ジェネレータ２内蔵のタイマ（例えば５０秒）による出力停止前に、タイマユニット２８の超音波出力可能時間（例えば２０秒）が経過すると停止制御が作用して超音波出力が停止する。つまりフットスイッチ３の踏む動作を継続した状態でも、超音波出力はタイマユニット２８に設定された時間内で停止するようになる。
【００３０】
次に本実施の形態におけるタイマユニット２８を内蔵したハンドピース５を用いた超音波処置具がジェネレータ２に接続された場合におけるタイマユニット２８によるタイマ動作を図４のフローチャートを参照して説明する。  
ジェネレータ２にハンドピース５の信号ケーブル６のコネクタ７が接続され、ジェネレータ２の電源がＯＮにされると、タイマユニット２８にも動作電源が供給されて動作状態になり、図４のステップＳ１に示すように駆動電流検出回路３６は駆動電流を周期的に（例えば５０ｍＳごとに）検出する動作を行う。  
そして、駆動電流が検出されない場合は、ステップＳ２に示すようにタイマ制御回路３７内のタイマをリセットし、ステップＳ１に戻る。
【００３１】
一方、フットスイッチ３がＯＮされることにより駆動電流が検出された場合には、タイマがすでに作動しているかの判断を行う（ステップＳ３）。そして、その判断により、タイマが作動していない場合にはタイマをＯＮして（計時の）カウントを開始し（ステップＳ４）、ステップＳ１に戻る。
【００３２】
一方、タイマが既に作動している場合にはステップＳ５に示すようにカウントを継続し、ステップＳ６に進む。
【００３３】
ステップＳ６では、タイマがリミット（つまり、設定されている所定時間）になっているかの判断を行う。そして、リミットになっていない場合はッステップＳ１に戻り、継続してカウントを行うようになる。
【００３４】
一方、タイマがリミットになった場合（例えばタイマ作動後２０秒後）には、ステップＳ７に示すようにスイッチ回路３８のスイッチをＯＦＦし、かつタイマ制御回路３７内のタイマもＯＦＦする。そして、次のステップＳ８で、例えば１秒経過したらスイッチをＯＮにして、ステップＳ１に戻り、次の駆動電流の供給動作に備える。
【００３５】
本実施の形態は以下の効果を有する。  
超音波出力時間が比較的長い凝固切開を主に行うハンドピース４を使用する場合よりも、腹壁穿刺を主に使用するハンドピース５を使用時には、最大超音波出力時間を短く制限できるため、組織への無用な熱影響を未然に防止できる。
【００３６】
また、ジェネレータ２がハンドピース１種類分の最大出力時間のタイマモードしかない場合でも、タイマ内蔵のハンドピース５を使用することで別設定の最大出力時間を設定できる。
【００３７】
なお、図４のステップＳ８において、駆動電流検出回路２８による駆動電流の検出が無くなった後に、スイッチをＯＮにするようにしても良い。また、両者を選択できるようにしても良い。
【００３８】
また、タイマユニット２８により、タイマリミットになり、スイッチ回路３８のスイッチをＯＦＦにし、次にスイッチをＯＮする場合には、ジェネレータ２にそのジェネレータ２内蔵のタイマをリセットする信号を出力するような構成にしても良い。
【００３９】
このようにすると、例えばジェネレータ２内蔵のタイマのリミット時間とタイマユニット２８のタイマのリミット時間とが比較的近いような場合に有効である。
【００４０】
例えばジェネレータ２内蔵のタイマのリミット時間が４０秒で、タイマユニット２８のタイマのリミット時間が３０秒の場合、タイマユニット２８のタイマのリミット時間、つまり３０秒処置を行った場合、タイマユニット２８によりスイッチがＯＦＦになり、次に（図４のステップＳ８の場合には１秒後）スイッチがＯＮするのでフットスイッチ３が継続してＯＮされたままであると、ジェネレータ２内蔵のタイマのリミット時間が４０秒のため、続けてＯＮされていると、最大９秒間だけＯＮとなるが、リセットできると、次の場合にも同様にタイマユニット２８のタイマのリミット時間、つまり３０秒に設定できる。つまり、使い勝手をより向上できる。
【００４１】
（第１の実施の形態の変形例）
図５は変形例におけるハンドピース５を示す。  
第１の実施の形態では、タイマ制御回路３７により、タイマの時間が予め半固定抵抗等で所定時間に設定されていたが、本変形例ではタイマの時間を決定する可変抵抗の軸をケース２１の外部に突出させて、ケース２１の外表面に設けたタイマダイヤル４１を前記可変抵抗の軸に取り付けて、図５に示すように、最大超音波出力時間を無断階に設定できるようにした。
【００４２】
また、ケース２１外表面には、最大出力時間になる直前に点灯する表示灯４２も設けている。
【００４３】
本変形例の作用効果としては、最大出力時間をジェネレータ２の最大超音波出力時間内で無断階に設定できるため、術者の意図、レベルに応じて調整して、無用な超音波出力を防止できる。  
また、最大出力時間になる直前で表示灯４２が点灯し、術者に視覚的に超音波出力時間を知ることが出来るため、無用な超音波出力を防止できる。
【００４４】
（第２の実施の形態）
次に本発明の第２の実施の形態を図６から図１１を参照して説明する。  
なお、第１実施の形態と同じ構造の部分は説明を省略する。本実施の形態は第１の実施の形態のハンドピース４、５における一体的に設けていた信号ケーブル６を着脱可能な構成にしている。つまり、ハンドピースを超音波振動子を内蔵したハンドピース本体と、ハンドピース本体に着脱可能なケーブルユニット（着脱ケーブル）とにしている。
【００４５】
図６に示す超音波手術システム５１では、駆動電流を出力するジェネレータ５２にはその出力のＯＮ、ＯＦＦを行うフットスイッチ５３が接続されている。    また、このジェネレータ５２のソケット部５４には超音波処置具を構成する着脱ケーブル５５の一端に設けたジェネレータプラグ５６を着脱自在で接続することができる。
【００４６】
この場合、ジェネレータ５２のソケット部５４の付近のフロントパネルにはジェネレータプラグ５６を接続する場合の周方向の位置決め用の指標５４ａ（丸印）が設けてあり、ジェネレータ５２にジェネレータプラグ５６を接続する場合にはそのジェネレータプラグ５６に設けた指標５６ａ（丸印）の位置を合わせて接続する（操作を行うことにより接続が可能となる）。
【００４７】
この着脱ケーブル５４の他端に設けたソケット５７は、凝固切開等の際に用いるハンドピース本体５８、破砕乳化吸引する際に用いる吸引ハンドピース本体５９、そして、他の用途の図示しない他のハンドピース本体に着脱自在に接続できるようにしている。
【００４８】
本実施の形態では、ハンドピース本体５８の前端には、第１の実施の形態で説明した凝固切開系のプローブ８ａ、８ｂ、シース９ａ、９ｂに加えて、（図１の穿刺プローブ１１に相当する）穿刺プローブ６０をハンドピース本体５８に対してねじ締結で着脱できる構成としている。
【００４９】
さらに、後述のハンドピースアダプタ６１をハンドピース本体５８とソケット５７との間に装着することで、穿刺プローブ６０を装着した場合には、５φの外套管１２ａ、ダイレータ１３ａ、１３ｂを介挿して外套管１４ａ、１４ｂをそれぞれ組合わせて使用できる構成にしている。
【００５０】
ハンドピース本体５９は、生体組織を破砕乳化吸引するプローブを専用に使用できるタイプであり、内蔵した超音波振動子の中心に吸引用の孔が設けられている。このハンドピース本体５９には処置の対象部位に応じて屈曲プローブ６２ａ及び屈曲シース６３ａ、内視鏡下外科手術用のロングプローブ６２ｂ及びロングシース６３ｂ、そして開腹手術用のショートプローブ６２ｃ及びショートシース６３ｃとを組合わせて使用できる。
【００５１】
また、ソケット５７、ハンドピース本体５８、５９、ハンドピースアダプタ６１にはそれぞれ三角印の指標５７ａ、５８ａ、５９ａ、６１ａが設けてある。
【００５２】
そして、ソケット５７をハンドピース本体５８およびハンドピース本体５９に接続する際は、指標５７ａと指標５８ａ或いは５９ａを合せて接続する。指標５７ａと指標５６ａの指標形状が異なるため誤接続を未然に防げる。
【００５３】
図７は、ハンドピース本体５８、ハンドピースアダプタ６１、ソケット５７の内部構造を示す。図７（Ａ）はハンドピース本体５８の例えば水平（横）方向での断面を示し、図７（Ｂ）はハンドピース本体５８の垂直（縦）方向の断面と、ハンドピースアダプタ６１、ソケット５７の垂直方向の断面を示す。
【００５４】
ハンドピース本体５８は、略円筒形状のケース６６の内部に駆動電流を超音波振動に変換する超音波振動子２２が収納固定され、このケース６６の手元側の端部にはケース６６と一体的に形成されたプラグ６７が設けられている。
【００５５】
このプラグ６７には、（中央側の）プラグ突起６７ａを中心として環状の溝（凹部）が形成されたおり、プラグ突起６７ａの側面には、超音波駆動電流を超音波振動子２２に供給する２接点６８ａ、６８ｂと、このハンドピース本体５８の種類を検出するための２接点６８ｃ、６８ｄとがプラグ突起６７ａにインサート成型により設けられている。
【００５６】
図８は、ハンドピース本体５８のプラグ６７側の斜視図であり、接点６８ａ，６８ｂ，６８ｃ，６８ｄがプラグ突起６７ａの側面に形成してあることが理解できる。  
図７（Ｂ）に示すように接点６８ａ、６８ｂはケース６６内部でリード線６９ａ、リード線６９ｂにより超音波振動子２２に電気的に接続されている。図７（Ａ）に示すように接点６８ｃ、６８ｄはケース内部でハンドピース種別を検知させるための判別素子７０に電気的に接続されている。
【００５７】
また、図７（Ｂ）、図９に示すようにソケット５７の内部には環状の壁状或いは筒状の内部ソケット７１が形成され、その壁面にはスリット７１ａ、スリット７１ｂ、スリット７１ｃ、スリット７１ｄが形成され、それぞれの中に、接点７２ａ、７２ｂ、７２ｃ、７２ｄが配置され、各接点７２ｉ（ｉ＝ａ〜ｄ）の根元はソケット５７にインサート成型により、固定されている。
【００５８】
なお、接点７２ａ〜７２ｄは片持ち梁の形状であり、内側に向かって山状に出っ張っている。２つの接点７２ａ、７２ｂは超音波駆動電流を供給し、他の２つの接点７２ｃ，７２ｄはハンドピース種別を検出するのに使用される。  
各接点７２ａ〜７２ｄはそれぞれリード線７３ａ〜７３ｄが電気的に接続されている（リード線７３ｃ，７３ｄは図示省略）。
【００５９】
図９はソケット５７の開口部の斜視図を示している。ソケット５７の内部には、内部ソケット７１が形成され、接点７２ａ〜７２ｄが配置されているのがわかる。また、ソケット５７の外周面に突出するレバー５７ｂ、５７ｃはプラグ６７からソケット５７を外す時に押す着脱レバーである。
【００６０】
また、図７（Ｂ）に示すハンドピースアダプタ６１は略円筒形状のアウターケース７５の先端側に形成した開口する凹部７６はハンドピース本体５８を挿入可能な内径と奥行きになっている。
【００６１】
この凹部７６の深部の壁面（底面）付近にはソケット５７の内部ソケット７１と同形状の内部ソケット７７が形成してあり、その側面にはスリット７７ａ〜スリット７７ｄが形成されている（スリット７７ｃ、スリット７７ｄは図示しない）。  
各スリット７７ａ〜７７ｄには、片持ち梁形式でかつ内側に向かって山状に出っ張る接点７８ａ〜接点７８ｄが配置され、その根元をインサート成型によりアウタケース７５に固定している。
【００６２】
このアウタケース７５の手元側外表面には、プラグ６７と同形状のプラグ７９が形成され、このプラグ７９にはプラグ突起７９ａを中心とする環状の溝が形成してあり、プラグ突起７９ａの側面には、超音波駆動電流を接点７８ａ、７８ｂに供給するための接点８０ａ、接点８０ｂおよび、ハンドピースの種類を検出するための接点７８ｃ、７８ｄへ検出電流を供給する接点８０ｃ、接点８０ｄがプラグ突起７９ａにインサート成型により設けられている（接点７８ｃ、７８ｄ、接点８０ｃ、８０ｄは図示しない）。
【００６３】
接点７８ａおよび７８ｂの根元側の固定端部と、接点８０ａ，８０ｂの根元側の端部とは、内部ソケット７７とプラグ７９との間に設けた密閉された空間内に収納したタイマユニット８１に電気的に接続されており、駆動電流が接点８０ａ，８０ｂに供給されるとタイマユニット８１に内蔵されたタイマが作動するようになっている。
【００６４】
本実施の形態では、ハンドピース本体５８を凝固切開の処置の他に、穿刺の処置も行えるようにすると共に、穿刺の処置を行う場合には凝固切開の処置を行う場合に比較して、最大超音波出力時間を制限できることが有効であるため、ハンドピースアダプタ６１を用いて、そのハンドピースアダプタ６１に内蔵したタイマユニット８１により穿刺の処置を行う場合にはその最大超音波出力時間を（ジェネレータ５２に内蔵され、ハンドピース本体５８の凝固切開の処置用に設定される最大超音波出力時間よりも短く）制限できるようにしたものである。
【００６５】
次に本実施の形態の作用を説明する。  
シザースタイプ用プローブ８ａ、シザースタイプシース９ａ、フックタイプ用プローブ８ｂ、フックタイプシース９ｂのプローブおよびシースを用いて凝固切開に使用する場合には、それらをハンドピース本体５８に接続し、ハンドピース本体５８のプラグ６７にソケット５７を接続する。
【００６６】
プラグ６７にソケット５７を接続する際は、図１０（Ａ）に示すようにハンドピース本体５８およびソケット５７の外表面の三角形の指標５８ａと５７ａ同士の位置を合わせて組合わせるとプラグ突起６７ａ周囲の環状溝に内部ソケット７１がはまり込む。
【００６７】
接続と同時にジェネレータ５２からのハンドピース種別検知電流が、着脱ケーブル５５内の芯線から接点７２ｃ，７２ｄに供給され、山状に出っ張る接触部より接点６８ｃ，６８ｄを介して判別素子７０へと至り、ハンドピースの種別をジェネレータ５２が認識してハンドピース本体５８に固有の最大出力可能時間を設定する。具体的には、凝固切開の処置用に最大出力可能時間が設定される（この時間は、穿刺の処置の場合に設定される時間よりも長い）。  
ここでフットスイッチ５３を操作すれば超音波出力ができる。
【００６８】
一方、穿刺プローブ６０、外套管１２ａ、外套管１４ａ、ダイレータ１３ａ、外套管１４ｂ，ダイレータ１３ｂを用いて腹壁に穿刺する場合にはハンドピースアダプタ６１を使用する。
【００６９】
そして、ハンドピースアダプタ６１内へハンドピース本体５８を挿入するとプラグ突起６７ａ周囲の環状溝に内部ソケット７７がはまり込み、ハンドピースアダプタ６１にハンドピース本体５８が組み付く。
【００７０】
穿刺に必要なプローブ、外套管、ダイレータを組合わせ後、ハンドピースアダプタ６１の手元側４３にソケット５７を組み付ける。すると、図１１のようになる。この図１１では外套管、プローブ、ダイレータは図示していない。
【００７１】
そして、ソケット５７に接続された着脱ケーブル５５のジェネレータプラグ５６をジェネレータ５２に接続すると同時にジェネレータ５２からハンドピース種別検知電流が着脱ケーブル５５内の芯線から接点７２ｃ，７２ｄに供給され、山状に出っ張る接触部より接点８０ｃ→接点７８ｃ→接点６８ｃ、接点８０ｄ→接点７８ｄ→接点６８ｄ、判別素子７０へと至り、ハンドピースの種別をジェネレータ５２が認識してハンドピース本体５８に固有の最大出力可能時間を設定する。
【００７２】
ここでフットスイッチ５３を操作すると、駆動電流が着脱ケーブル５５内の芯線から接点７２ａ，７２ｂへと供給され、さらに接点８０ａ→接点７８ａ→接点６８ａ、接点８０ｂ→接点７８ｂ→接点６８ｂと至り、最終的に超音波振動子２２へと供給される。
【００７３】
途中の駆動電流経路にはタイマユニット８１があるため、ジェネレータ５２が認識したハンドピース本体５８に固有の最大超音波出力時間で超音波出力を停止する前に、タイマユニット８１のタイマで超音波出力を停止できる。つまりフットスイッチ５３の操作を継続しても超音波出力はタイマユニット８１で設定された時間内で停止する。
【００７４】
本実施の形態は以下の効果を有する。  
ジェネレータ５２が、組織を破砕乳化吸引するハンドピース、凝固切開するハンドピースなど、複数種のハンドピースを認識して使用でき、ハンドピースからケーブルを着脱できる形態の場合でも、高価な腹壁穿刺専用ハンドピースを準備することなく、簡単に腹壁穿刺できると共に、その最大超音波出力時間を短く制限できるため、組織への無用な熱影響を未然に防止できる。
【００７５】
（第２の実施の形態の変形）
図１２（Ａ）及び図１２（Ｂ）は第２の実施の形態の変形例を示す。図１２（Ａ）は変形例の超音波手術システム５１′の模式的構成示し、図１２（Ｂ）は最大超音波出力時間の条件を示す。
【００７６】
図１２（Ａ）に示すようにジェネレータ５２は着脱ケーブル５５によって、タイマユニット９１を内蔵したハンドピースアダプタ６１と接続され、このハンドピースアダプタ６１には、超音波振動子２２と判別素子９２を内蔵したハンドピース本体（以下では簡単化のため単にハンドピースと略記）Ａが接続可能である。
【００７７】
また、本変形例では図１２（Ｂ）に示すように、他のハンドピースＢ、Ｃも同様に対応するタイマユニット９１を内蔵したハンドピースアダプタ６１を介して着脱ケーブル５５によりジェネレータ５２に接続できるようにしている。
【００７８】
ジェネレータ５２は駆動電流を発生する超音波駆動回路９３と、判別素子９２によりそのハンドピースの種類を判別するハンドピース種別検知回路９４と、このハンドピース種別検知回路９４の判別結果により、超音波駆動回路９３の駆動を制御するタイマ内蔵の制御回路９５とを有する。
【００７９】
図１２（Ｂ）に示すようにハンドピース種類に関してＡ，Ｂ，Ｃを考えた場合、判別素子９２による判別抵抗等の値はそれぞれａ，ｂ，ｃとする。この判別素子９２それぞれの値に対応して、ジェネレータ５２内蔵のタイマの設定時間はα、β、γ（秒）の設定となる。
【００８０】
このような構成の場合、タイマユニット９１を内蔵したハンドピースアダプタ６１を組合わせた場合、実際の最大超音波出力時間は各タイマユニット９１の設定時間となり、例えば各ハンドピースＡ，Ｂ，Ｃの最大超音波出力時間はｘ，ｙ，ｚ（秒）となる。この構成により第１の実施の形態の効果に加えて、ハンドピース本体５８以外のハンドピースでも最大超音波出力時間を設定できる。但し、タイマユニット９１の設定時間：ｘ，ｙ，ｚ（秒）＜ジェネレータ内蔵タイマ設定時間：α、β、γ（秒）という条件が必要である。
【００８１】
（第３の実施の形態）
次に本発明の第３の実施の形態を図１３（Ａ）と図１３（Ｂ）を参照して説明する。図１３（Ａ）は超音波手術システム５１″の模式的構成を示し、図１３（Ｂ）は最大超音波出力時間の条件を示す。
【００８２】
第２の実施の形態と同じ構造の説明は省略する。第２の実施の形態との変更点は、ハンドピースアダプタ６１′に関して、タイマユニット８１或いは９１をなくし、判別素子９７を内蔵した。なお、ハンドピースアダプタ６１′ではハンドピース内蔵の判別素子用接点を省略した。
【００８３】
次に本実施の形態の作用を説明する。  
ハンドピース種類に関しては図１３（Ｂ）に示すようにＡ，Ｂ，Ｃを考えた場合、判別素子９２はそれぞれａ，ｂ，ｃとなる。この判別素子それぞれに対応して、ジェネレータ内蔵のタイマはα、β、γ（秒）の設定となる。
【００８４】
ハンドピースアダプタ６１′をハンドピースＩ（Ｉ＝Ａ〜Ｃ）と着脱ケーブル５５の間に組合わせると判別素子９７をジェネレータ５２内のハンドピース種別検知回路９４が認識する。  
タイマ内蔵の制御回路９５では、判別素子９７に対応した最大超音波出力時間でタイマを設定するように制御し、超音波駆動回路９３より出力可能となる。
【００８５】
例えばハンドピースＡに対して、ハンドピースアダプタ６１′の判別素子９７としてｂを内蔵したものを組合わせた場合は、最大超音波出力時間はβ（秒）となる。
【００８６】
本実施の形態は以下の効果を有する。  
ハンドピース種類の判別素子を内蔵したハンドピースアダプタを使用することで、高価なハンドピースを別途用意しないでも、他用途のハンドピース設定で最大超音波出力時間が設定できるため、システムのコストを低減できる。
【００８７】
（第４の実施の形態）
次に図１４を参照して本発明の第４の実施の形態を説明する。図１４は第４の実施の形態の超音波手術システム１０１の模式的構成を示す。  
本実施の形態は第２の実施の形態のハンドピース本体５８と着脱ケーブル５５に関して下記のような変更を行ったものである。
【００８８】
本実施の形態では、ハンドピース本体５８′はタイマ値を切替えるタイマ値切替スイッチ１０２を内蔵し、着脱ケーブル５５′にはこのタイマ値切替スイッチ１０２に接続されるタイマ切替ライン１０３を内蔵し、ジェネレータ５２′にはタイマ切り替えを行うタイマ切替回路１０４を搭載し、タイマ値切替スイッチ１０２によるタイマ値切替信号がタイマ切替ライン１０３を介してタイマ切替回路１０４に入力できるようにしている。そして、タイマ切替回路１０４は制御回路９５のタイマによる最大超音波出力時間を切替設定できるようにしている。
【００８９】
この構成によれば、容易に術者が手元側のタイマ値切替スイッチ１０２の切替操作により最大超音波出力時間を切替設定できるので、手術効率が向上するとともに術者の手術レベル応じて最大超音波出力時間を設定することでストレスなく使用できる。
【００９０】
［付記］
１．ジェネレータに着脱自在に接続され、前記ジェネレータからの駆動電流を超音波振動に変換する超音波振動子を内蔵した超音波処置具において、
超音波出力時間を制限するタイマユニットを内蔵したことを特徴とする超音波処置具。  
２．付記１において、タイマユニットは超音波振動子に至る手前の駆動電流供給系の一部に設け、駆動電流の入力で作動することを特徴とする。  
３．付記２において、タイマユニットは、駆動電流検出回路、タイマ制御回路、スイッチ回路からなる。
【００９１】
４．付記３において、駆動電流の検出は、周期的に行い、駆動電流が供給されなくなった場合には、タイマを自動で停止する。  
５．付記３において、ハンドピースに超音波出力時間を制限するタイマを無段階に設定する手段を設けた。  
６．付記３において、ハンドピースに超音波出力時間を術者に認識させる表示手段を設けた。
【００９２】
７．ジェネレータからの駆動電流を超音波振動に変換する超音波振動子を内蔵したハンドピース本体に、ジェネレータからの駆動電流を伝達するケーブルユニットを着脱可能としたハンドピースにおいて、
ハンドピース本体にはケーブルユニットに対して着脱自在な第１のコネクタを有し、ケーブルユニットにはハンドピース本体に着脱自在な第２のコネクタ有し、さらに第１のコネクタと第２のコネクタの間に、第１のコネクタに対して着脱自在な第３のコネクタ及び第２のコネクタに対して着脱自在な第４のコネクタを備えたハンドピースアダプタを設けたことを特徴とするハンドピース。
【００９３】
８．付記７において、ハンドピースアダプタには駆動電流供給系に超音波出力時間を制限するタイマユニットを内蔵した。  
９．付記７において、ハンドピースアダプタにはハンドピース種別を検出する判別素子を内蔵した。  
１０．付記７において、ハンドピース本体にタイマ値設定切替手段を設けた。
【図面の簡単な説明】
【００９４】
【図１】本発明の第１の実施の形態を備えた超音波手術システムの全体構成図。
【図２】タイマユニットを内蔵したハンドピースの内部構成を示す断面図。
【図３】図２のハンドピースの電気系の構成を示すブロック図。
【図４】タイマユニットを内蔵したハンドピースで処置する場合の作用を示すフローチャート図。
【図５】変形例におけるタイマユニットを内蔵したハンドピースの構成を示す側面図。
【図６】本発明の第２の実施の形態を備えた超音波手術システムの全体構成図。
【図７】凝固切開及び穿刺に用いられるハンドピース等の構成を示す図。
【図８】ハンドピースのプラグ部分を示す斜視図。
【図９】ソケットの内部ソケット部分を示す斜視図。
【図１０】ハンドピースにソケットを装着した状態を示す図。
【図１１】ハンドピースアダプタにハンドピースを内蔵して、ソケットに装着した状態の主要部を断面で示す図。
【図１２】変形例の超音波手術システムの模式的構成及び最大超音波出力時間の条件等を示す図。
【図１３】本発明の第３の実施の形態を備えた超音波手術システムの模式的構成及び最大超音波出力時間の条件等を示す図。
【図１４】本発明の第４の実施の形態を備えた超音波手術システムの模式的構成を示すブロック図。
【符号の説明】
【００９５】
１…超音波手術システム
２…ジェネレータ
３…フットスイッチ
４、５…ハンドピース
７…コネクタ
８ａ、８ｂ…プローブ
９ａ、９ｂ…シース
１１…穿刺プローブ
１２ａ、１４ａ、１４ｂ…外套管
１３ａ、１３ｂ…ダイレータ
２１…ケース
２２…超音波振動子
２６…圧電素子
２８…タイマユニット
３６…駆動電流検出回路
３７…タイマ制御回路
３８…スイッチ回路
【図１】
2007222689.tif 000003
【図２】
2007222689.tif 000004
【図３】
2007222689.tif 000005
【図４】
2007222689.tif 000006
【図５】
2007222689.tif 000007
【図６】
2007222689.tif 000008
【図７】
2007222689.tif 000009
【図８】
2007222689.tif 000010
【図９】
2007222689.tif 000011
【図１０】
2007222689.tif 000012
【図１１】
2007222689.tif 000013
【図１２】
2007222689.tif 000014
【図１３】
2007222689.tif 000015
【図１４】
2007222689.tif 000016